(57)【要約】【課題】防水性を維持し、簡単な構成で無線装置の使用開始までの消費電力を抑制する。【解決手段】無線装置は、無線通信回路と、前記無線通信回路に電力を供給する電池と、前記電池から前記無線通信回路への電力供給路を提供する電力供給装置と、当該無線装置を防水するケースと、を備え、前記電力供給装置は、前記ケースへの前記電池及び前記無線通信回路の組み込みが行われた状態では、前記電力供給路を非導通の状態とし、前記ケースの外部からの働きかけにより、前記電力供給路を不可逆的に導通状態とする。【選択図】図２
2019029945.tif 000002
【特許請求の範囲】
【請求項１】
無線装置であって、
無線通信回路と、
前記無線通信回路に電力を供給する電池と、
前記電池から前記無線通信回路への電力供給路を提供する電力供給装置と、
当該無線装置を防水するケースと、
を備え、
前記電力供給装置は、前記ケースへの前記電池及び前記無線通信回路の組み込みが行われた状態では、前記電力供給路を非導通の状態とし、前記ケースの外部からの働きかけにより、前記電力供給路を不可逆的に導通状態とする、
無線装置。
【請求項２】
請求項１に記載の無線装置であって、
前記電力供給装置は、
押下部と、
前記電池に接続される第１導体パターンと、
前記第１導体パターンと離間し、前記無線通信回路と接続される第２導体パターンと、
前記第１導体パターンと前記第２導体パターンとの間を導通可能な導電性バネと、
を有し、
前記押下部が押し下げられる前は、前記導電性バネは、前記第１導体パターンと前記第２導体パターンの間を導通しておらず、
前記押下部が押し下げられた後は、前記導電性バネは、前記導電性バネの有する付勢力により、前記第１導体パターンと前記第２導体パターンに接触した状態を維持し、前記第１、第２導体パターンの間を不可逆的に導通する、無線装置。
【請求項３】
請求項２に記載の無線装置であって、
前記第１、第２導体パターンは、いずれも基板の一方の面に配置され、
前記導電性バネは、前記基板の前記第１、第２導体パターンのある側に前記第１、第２導体パターンから離間して設けられ、前記第１、第２導体パターンと反対側に凸となる形状を有し、
前記押下部は、押し下げられると、前記導電性バネの形状を、前記第１、第２導体パターン側に凸となるように不可逆的に反転させ、
前記導電性バネは、反転した状態で前記第１導体パターンと前記第２導体パターンの両方に接触して、導通する、
無線装置。
【請求項４】
請求項２に記載の無線装置であって、
前記第１導体パターンと前記第２導体パターンとは、それぞれ基板の異なる面に形成され、
前記導電性バネは、前記導電性バネの２つの端部のうちの一方の端部が前記第１導体パターンと前記第２導体パターンとのうちのいずれか一方と接続されており、
前記押下部が押し下げられる前は、前記導電性バネの他方の端部が、前記基板を挟んで前記第１導体パターンと前記第２導体パターンとのうちの他方の導体パターンの反対側にあることで前記導体パターンと離間しており、
前記押下部が押し下げられたあとは、前記他方の端部が前記基板を越えて前記他方の導体パターンの側に移動し、前記導電性バネの有する付勢力により前記他方の端部と前記他方の導体パターンとが導通する、
無線装置。
【発明の詳細な説明】
【技術分野】
【０００１】
本発明は、無線装置に関する。
【背景技術】
【０００２】
ブルートゥース（登録商標）などの通信を用いてスマートフォンと関連付けられるタグが提案されている。こうしたタグは、財布、鍵、バッグ、傘などに取り付けて、これらの物品を紛失しそうになったときにスマートフォン等に知らせたり、紛失したときにタグが取り付けられた物品の所在をスマートフォン等に知らせる（例えば非特許文献１）。タグとスマートフォンの通信ができるようにするために、タグには、無線通信回路に電力を供給する電池が搭載されている。
【先行技術文献】
【特許文献】
【０００３】
【特許文献１】特開２００１−２３７８９２号公報
【非特許文献】
【０００４】
【非特許文献１】https://mamorio.jp/
【発明の概要】
【発明が解決しようとする課題】
【０００５】
なお、特許文献１のように、ＩＣが特定のコマンドを受け付けると、回路の一部への電力の供給をオン・オフするものも提案されているが、コマンドを発行する回路は動作しており、それなりの消費電力を伴ってしまう。したがって、こうしたタグにおける電池の使用を検討すると、以下の制約条件を満たすものが求められることが分かる。
（１）タグの小型化のため、電池も小型の、例えばボタン電池などで動作することが望ましい。
（２）ボタン電池など、容量の小さい電池を利用する揚合、タグの使用開始までは、電力を無線通信回路に供給しないようにしたい。使用開始までに電力供給を継続していると、実際の使用可能期間が短くなってしまうからである。従って、使用開始までは、電量を使用しないか、ほとんど使用しないことが望ましい。
（３）電力供給の開始をスイッチによって行なうようにすると、部品点数が増加する。またタグの使用中にスイッチが誤ってオフになってしまうと、肝心の時に役に立たない。従って、オン・オフできるスイッチなどは利用できない。
（４）電池ボックスに蓋を設けて使用開始時に電池を入れるといった構成や、電池と接点の間の絶縁シートを引き抜いて給電を開始する構成などを採用すると、防水性を持たせることができない。防水性がないと、タグを、傘や自転車などに取り付けることができなくなり、利用範囲が限られてしまう。
【課題を解決するための手段】
【０００６】
上記した条件の少なくとも２つ以上を同時に満たすために、本発明は、以下の形態として実施することができる。
【０００７】
（１）本発明の一形態によれば、無線装置が提供される。この無線装置は、無線通信回路と、前記無線通信回路に電力を供給する電池と、前記電池から前記無線通信回路への電力供給路を提供する電力供給装置と、当該無線装置を防水するケースと、を備え、前記電力供給装置は、前記ケースへの前記電池及び前記無線通信回路の組み込みが行われた状態では、前記電力供給路を非導通の状態とし、前記ケースの外部からの働きかけにより、前記電力供給路を不可逆的に導通状態とする。
この形態によれば、電力供給装置は、ケースへの電池及び前記無線通信回路の組み込みが行われた状態では、電力供給路を非導通の状態とし、ケースの外部からの働きかけにより、電力供給路を不可逆的に導通状態とする。したがって、防水性を維持し、簡単な構成で無線装置の使用開始までの消費電力を抑制できる。
【０００８】
（２）上記形態において、前記電力供給装置は、押下部と、前記電池に接続される第１導体パターンと、前記第１導体パターンと離間し、前記無線通信回路と接続される第２導体パターンと、前記第１導体パターンと前記第２導体パターンとの間を導通可能な導電性バネと、を有し、前記押下部が押し下げられる前は、前記導電性バネは、前記第１導体パターンと前記第２導体パターンの間を導通しておらず、前記押下部が押し下げられた後は、前記導電性バネは、前記導電性バネの有する付勢力により、前記第１導体パターンと前記第２導体パターンに接触した状態を維持し、前記第１、第２導体パターンの間を不可逆的に導通してもよい。
この形態によれば、簡単な構成で、第１導体パターンと第２導体パターンとの間を不可逆的に導通できる。
【０００９】
（３）上記形態において、前記第１、第２導体パターンは、いずれも基板の一方の面に配置され、前記導電性バネは、前記基板の前記第１、第２導体パターンのある側に前記第１、第２導体パターンから離間して設けられ、前記第１、第２導体パターンと反対側に凸となる形状を有し、前記押下部は、押し下げられると、前記導電性バネの形状を、前記第１、第２導体パターン側に凸となるように不可逆的に反転させ、前記導電性バネは、反転した状態で前記第１導体パターンと前記第２導体パターンの両方に接触して、導通してもよい。
この形態によれば、簡単な構成で、第１導体パターンと第２導体パターンとの間を不可逆的に導通できる。
【００１０】
（４）上記形態において、前記第１導体パターンと前記第２導体パターンとは、それぞれ基板の異なる面に形成され、前記導電性バネは、前記導電性バネの２つの端部のうちの一方の端部が前記第１導体パターンと前記第２導体パターンとのうちのいずれか一方と接続されており、前記押下部が押し下げられる前は、前記導電性バネの他方の端部が、前記基板を挟んで前記第１導体パターンと前記第２導体パターンとのうちの他方の導体パターンの反対側にあることで前記導体パターンと離間しており、前記押下部が押し下げられたあとは、前記他方の端部が前記基板を越えて前記他方の導体パターンの側に移動し、前記導電性バネの有する付勢力により前記他方の端部と前記他方の導体パターンとが導通してもよい。
この形態によれば、簡単な構成で、第１導体パターンと第２導体パターンとの間を不可逆的に導通できる。
【００１１】
なお、本発明は、種々の形態で実現することが可能であり、例えば、無線装置の他、無線タグ、無線装置、無線タグにおける消費電力抑制方法等の形態で実現することができる。
【図面の簡単な説明】
【００１２】
【図１】実施形態としての無線装置を備える紛失防止用タグとこのタグと通信する親機とからなる紛失予防システムの概略構成図である。
【図２】無線装置と親機の回路構成の一例である。
【図３】紛失予防システムにおけるタグの使用開始までのフローチャートである。
【図４】親機におけるアプリケーションソフトの動作フローチャートである。
【図５】電力供給装置の具体的な構成を示す説明図である。
【図６】第２実施形態における電力供給装置の具体的な構成を示す説明図である。
【図７】第３実施形態における電力供給装置の具体的な構成を示す説明図である。
【図８】他の実施形態の無線装置を示す説明図である。
【発明を実施するための形態】
【００１３】
・第１実施形態：
（１）装置構成：
図１は、実施形態としての無線装置２０を備える紛失防止用タグ１０（以下「タグ１０」と呼ぶ。）とこのタグ１０と通信する親機４０とからなる紛失予防システムの概略構成図である。タグ１０は、無線装置２０と、無線装置２０を他の物品に取り付けるための取付部２３とを備える。無線装置２０は、後述する無線通信回路や電池を内蔵しており、防水ケース１１により密閉されている。本実施形態では、取付部２３は、防水ケース１１に一体に作り込まれており、無線装置２０の一部に設けられた開口部２１と、開口部２１から防水ケース１１の外縁に至る切込２２を有する。なお、取付部２３は、開口部２１を通るカラビナ、紐、結束バンドなどの無線装置２０と別体の部材で構成されていてもよい。この場合、切込２２はなくても良い。すなわち、取付部２３は、無線装置２０を他の物品に容易に取り付けられる構成を有していればよい。タグ１０は、取付部２３により、財布、鍵、バッグ、傘などの物に取り付けられる。タグ１０は、押下部１２を有する。押下部１２は、防水ケース１１の一部が変形可能とされて形成されており、無線装置２０の無線通信回路への電力供給を開始させるためのボタンとして働く。押下部１２は、タグ１０の使用者によって押される。押下部１２を用いたタグ１０の動作開始の仕組みについては、後で詳しく説明する。
【００１４】
親機４０は、タグ１０の位置を確認するための装置であり、親機４０として、例えばスマートフォンやタブレットなどの携帯機器が使用可能である。親機４０は、ディスプレイ４１を有している。ディスプレイ４１は、入力機能を有する表示装置であり、利用者への各種情報の表示や、入力に用いられる。このタグ１０を用いた紛失予防システムは、親機４０上で動作するアプリケーションソフトウエアと組み合わされて実現される。以下、この紛失予防システムの無線装置２０及び親機４０の構成及びその動作の概要について説明する。
【００１５】
図２は、無線装置２０と親機４０の回路構成の一例である。無線装置２０は、電池１００と、無線通信回路１１０と、電力供給装置１２０と、を備える。電力供給装置１２０は、押下部１２と、突起１３と、電力供給路１２１とを備える。本実施形態では、電池１００として、例えば、ＣＲ２０２５等のボタン電池や、ＣＰ１２４９２０等のシート状電池が使用可能である。無線通信回路１１０は、アンテナ１１１を有しており、通電が開始された後は、一定期間ごとにビーコンを発信する。無線通信回路１１０と電力供給装置１２０の電力供給路１２１は、直列に接続されており、電力供給路１２１が非導通状態（「非導通」とも呼ぶ。）では、無線通信回路１１０に電力が供給されないが、電力供給路１２１が導通状態（「導通」とも呼ぶ。）になると無線通信回路１１０に電力が供給されるようになる。
【００１６】
電力供給路１２１は、導電性バネ１２２と、第１、第２導体パターン１２３、１２４を備える。押下部１２の下（ケース１１内部側）には、突起１３が設けられており、突起の縁端側には、導電性バネ１２２が配置されている。導電性バネ１２２と、第１、第２導体パターン１２３、１２４は、直列に接続され電力供給路１２１を提供している。導電性バネ１２２は、ケース１１への電池及び無線通信回路１１０の組み込みが行われた状態では、導電性バネ１２２は、第１、第２導体パターン１２３、１２４から離間しており電力供給路１２１を非導通の状態としている。ケース１１の外部からの働きかけ、具体的には、押下部１２の押し下げにより、突起１３が導電性バネ１２２を押し、導電性バネ１２２は、第１、第２導体パターン１２３、１２４と接触して、電力供給路１２１を不可逆的に導通状態とする。すなわち、押下部１２が押し下げられる前においては、無線通信回路１１０には電力が供給されない。一方、押下部１２が一旦押し下げられると、無線通信回路１１０に電力を供給できるようになる。電力供給装置１２０の具体的な構成ついては、後述する。
【００１７】
親機４０は、ディスプレイ４１と、ＣＰＵ４２と、無線通信回路４３と、アンテナ４４と、ＧＮＳ受信回路４５と、メモリ４６と、を備える。無線通信回路４３は、タグ１０の無線装置２０等と通信を行うための無線通信回路である。ＧＮＳ受信回路４５は、汎地球測位航法衛星システム（Global Navigation Satellite System）のＧＮＳからの電波を受信して、時刻と位置を取得する。ＣＰＵ４２は、無線通信回路４３がタグ１０の無線装置２０からからビーコンを受信したときに、ＧＮＳ受信回路４５から時刻と位置（親機４０の位置）を取得し、メモリ４６に書き込む。メモリ４６は、アプリケーションソフトウエアなどのプログラムを記憶する他、ビーコンを受信したときの時刻と位置を記憶にも用いられる。
【００１８】
図３は、紛失予防システムにおけるタグ１０の使用開始までのフローチャートである。ステップＳ１００では、タグ１０の使用者は、押下部１２を押し下げて、無線装置２０の無線通信回路１１０への電力の供給を開始させる。これにより、無線通信回路１１０は、所定期間毎にビーコンを発信する。この動作の詳細については、後述する。ステップＳ１１０では、タグ１０の使用者は、親機４０のアプリケーションソフトウエアを起動し、無線装置２０と親機４０とのペアリングを行う。使用者は、親機４０を用いて、無線装置２０のペアリング情報を親機４０に登録する。これにより、親機４０は、どのビーコンと、どのタグ１０と、が対応しているか、対応関係を判断できるようになる。ステップＳ１２０では、使用者は、タグ１０を物品に取り付ける。なお、使用者は、タグ１０を物品に取り付けるステップＳ１２０を、ステップＳ１００、Ｓ１１０の前に行っても良い。
【００１９】
図４は、親機４０におけるアプリケーションソフトの動作フローチャートである。ステップＳ２００では、使用者により、タグ紛失予防システムのアプリケーションソフトウエアが起動される。ステップＳ２１０では、親機は、タグ１０の無線装置２０からのビーコンを受信する。ステップＳ２２０では、タグ１０の無線装置２０からのビーコンを受信すると、親機４０のＣＰＵ４２は、ビーコンを受信した時刻及び親機４０の位置をメモリ４６に書き込む。時刻や位置は、ＧＮＳ受信回路４５から取得可能である。ステップＳ２３０では、親機４０のＣＰＵ４２は、タグ１０の無線装置２０からのビーコンを所定期間毎に受信できたか判断し、ビーコンを受信できなかった場合には、ステップＳ２４０に移行し、ビーコンを受信できている場合には、ステップＳ２１０に戻る。ステップＳ２４０では、親機４０のＣＰＵ４２は、ビーコンを最後に受信したときの親機４０の位置をディスプレイ４１に表示する。例えば、タグ１０と親機４０との距離が離れると、親機４０は、ビーコンを受信できなくなる場合がある。すなわち、ビーコンを受信できない場合には、タグ１０を取り付けた物品が、親機４０の近傍になく、使用者が物品を紛失あるいは見失っている可能性がある。そのため、親機４０のＣＰＵ４２はディスプレイ４１にビーコンを最後に受信したときの親機４０の位置をディスプレイ４１に表示する。このとき、親機４０のＣＰＵ４２は、音声等により、ビーコンを受信できなかったことを利用者に報知してもよい。また、親機４０のＣＰＵ４２は、メモリ４６記憶されている位置を時系列的にディスプレイ４１に表示しても良い。タグ１０を取り付けた物品は、ビーコンを最後に受信したときの親機４０の位置から、ディスプレイ４１にビーコンを最後に受信したときの親機４０の位置（現在位置）に至る経路上の近傍にある可能性が高い。利用者は、ディスプレイ４１に表示された位置の情報を手がかりとして、タグ１０を取り付けた物品を探すことができる。なお、ビーコンが受信できなくなった後、再びビーコンが受信できるように可能になった場合には、親機４０のＣＰＵ４２は、ディスプレイ４１に表示した位置を表示しないように消去しても良い。
【００２０】
（２）電力供給装置の構成：
図５は、電力供給装置１２０の具体的な構成を示す説明図である。電力供給装置１２０は、押下部１２と、突起１３と、基板１４と、絶縁基板１６と、導電性バネ１２２と、第１、第２導体パターン１２３、１２４を備える。基板１４は、開口１４１を有しており、第１、第２導体パターン１２３、１２４は、基板１４に、開口１４１を挟んで設けられているが、互いに接触していない。絶縁基板１６は、基板１４と押下部１２との間に設けられており、導電性バネ１２２が設けられている。押下部１２が押し下げられる前の初期状態では、導電性バネ１２２は、突起１３側が凸となる形状を有しており、第１、第２導体パターン１２３、１２４の両方と接触しておらず、第１、第２導体パターン１２３、１２４は、電気的に非導通状態である。
【００２１】
押下部１２が押し下げられると、突起１３が導電性バネ１２２の凸の頂部を押し下げ、図５の破線で示すように、導電性バネ１２２の凸の向きを反転させる。その結果、導電性バネ１２２は、付勢力により第１、第２導体パターン１２３、１２４と接触し、第１導体パターン１２３と第２導体パターン１２４は、導電性バネ１２２を介して、導通状態となる。導電性バネ１２２は、上に凸の形状と、下に凸の形状との２つの形状を安定な形状とされている。しかも、導電性バネ１２２の凸の向きを元に戻すための構成を備えていないため、導電性バネ１２２は、第１導体パターン１２３と第２導体パターン１２４に接触した状態を維持し、押下部１２が押し下げられる前の状態には戻らない。
【００２２】
以上説明したように、第１実施形態によれば、電力供給装置１２０は、第１導体パターン１２３、第２導体パターン１２４と導通可能は導電性バネ１２２を備える。防水ケース１１の外部から押下部１２が押し下げられると、導電性バネ１２２の凸の向きが逆になり、第１導体パターン１２３と第２導体パターン１２４は、導電性バネ１２２を介して、導通状態となる。即ち、電力供給路１２１（図２）が導通状態となり、無線通信回路１１０に電力が供給される。すなわち、このような簡単な構成で、タグ１０の使用開始までは、電力を無線通信回路１１０に供給せず、その後、電力を無線通信回路１１０に供給できる。つまり、出荷から使用開始までの期間、例えば流通在庫中に電池の電力を抑制でき、購入した者が使用を開始するとして行った明示的な処理後（押下部１２の押し下げ後）から無線通信回路１１０への電池の電力の供給を開始するので、タグ１０の使用期間の保証をし易い。
【００２３】
また、導電性バネ１２２の凸の向きの変化は不可逆的な変化であるため、導電性バネ１２２の凸向きが押下部１２側を向いて、第１導体パターン１２３から第２導体パターン１２４の間が非導通に戻ることはない。すなわち、無線通信回路１１０に電力が供給された後は、使用者の行為により、無線通信回路１１０への電力の供給が停止され、ビーコンの発信が停止されることは無い。すなわち、タグ１０の使用中に誤ってオフになってしまって、肝心の時に役に立たなくなることが起こらない。
【００２４】
上記実施形態では、押下部１２の押し下げによる導電性バネ１２２の向きを変える動作は、防水ケース１１の内部で行われるため、タグ１０の防水性を損なわない。また、本実施形態では、電池１００も防水ケース１１に埋設され、交換不能としているため、防水性を高くできる。
【００２５】
上記実施形態では、導電性バネ１２２は、導電性の金属により構成したが、導体パターン１２３、１２４側に導電材料、例えば金属箔を貼り付けた樹脂等で形成してもよい。すなわち、樹脂製の基材とその表面の金属層により形成してもよい。
【００２６】
・第２実施形態：
図６は、第２実施形態における電力供給装置１２０の具体的な構成を示す説明図である。第２実施形態では、電力供給装置１２０は、押下部１２と、突起１３と、基板１４と、導電性バネ１２２と、第１、第２導体パターン１２３、１２４を備える。基板１４は、開口１４１を有しており、第１、第２導体パターン１２３、１２４は、基板１４の互いに反対側の面に、開口１４１を挟んで設けられているが、互いに接触していない。導電性バネ１２２の一方の端部１２５は、第２導体パターン１２４に接触した状態で固定されている。導電性バネ１２２の他方の端部１２６は、第１導体パターン１２３と接触していない。また、他方の端部１２６は、自由に動ける自由端である。導電性バネ１２２のほぼ中央は、突起１３に向けて凸となっている。
【００２７】
押下部１２が押し下げられると、突起１３が導電性バネ１２２のほぼ中央を押し下げ、図６の破線で示すように、導電性バネ１２２の他方の端部１２６が基板１４を越えて、基板１４の反対側に面に移動する。その結果、導電性バネ１２２は、第１導体パターン１２３と接触し、第１導体パターン１２３から第２導体パターン１２４へ電気的に導通する。即ち、電力供給路１２１（図２）が導通状態となり、電力を無線通信回路１１０に供給できる。なお、導電性バネ１２２の他方の端部１２６の位置を元に戻すための構成を備えていないため、導電性バネ１２２は、押下部１２が押し下げられる前の状態には戻らない。この形態においても、第１の実施形態と同様の効果を有し、簡単な構成で、タグ１０の使用開始までは、電力を無線通信回路１１０に供給せず、その後、電力を無線通信回路１１０に供給できる。
【００２８】
・第３実施形態：
図７は、第３実施形態における電力供給装置１２０の具体的な構成を示す説明図である。図６に示す第２実施形態との違いは、第１、第２導体パターン１２３、１２４が、基板１４の同じ面に形成されている点である。この形態においても、押下部１２が押し下げられると、突起１３が導電性バネ１２２のほぼ中央を押し下げ、図７の破線で示すように、導電性バネ１２２の他方の端部１２６が基板１４を越えて、基板１４の反対側に面に移動する。その結果、導電性バネ１２２は、第１導体パターン１２３と接触し、第１導体パターン１２３から第２導体パターン１２４へ電気的に導通する。即ち、電力供給路１２１（図２）が導通状態となり、電力を無線通信回路１１０に供給できる。この構成でも、第１の実施形態と同様の効果を有し、簡単な構成で、タグ１０の使用開始までは、電力を無線通信回路１１０に供給せず、その後、電力を無線通信回路１１０に供給できる。
【００２９】
図６、図７に示す第２、第３実施形態では、導電性バネ１２２を押下部１２、突起１３側が凸となるようにしていたが、導電性バネ１２２は、ほぼ平坦な形状であってもよい。導電性バネ１２２の形状を、押下部１２、突起１３側が凸となる形状とすると、突起１３の大きさを小さくできる。
【００３０】
第２、第３実施形態においても、第１実施形態と同様に、導電性バネ１２２を、樹脂製の基材とその表面の金属層により形成してもよい。
【００３１】
・他の実施形態１：
上記図５〜図７に示す第１〜３の実施形態では、押下部１２を押し下げることで導電性バネ１２２の凸の向きや他方の端部１２６の位置を変えていた。導電性バネ１２２を用いる代わりに、形状記憶合金で形成された導電体で第１、第２導体パターン１２３、１２４間の導通、非導通を制御しても良い。例えば、形状記憶合金の導電体が第１、第２導体パターン１２３、１２４に接触しないように成形して低温で保管し、使用時に室温に戻すことで、形状記憶合金の導電体を第１、第２導体パターン１２３、１２４に接触させるようにしても良く、形状記憶合金の導電体が第１、第２導体パターン１２３、１２４に接触しないように成形して保管し、使用時に一時的に高温にすることで、形状記憶合金の導電体を第１、第２導体パターン１２３、１２４に接触させるようにしても良い。このような構成であっても、簡単な構成で、タグ１０の使用開始までは、電力を無線通信回路１１０に供給せず、その後、電力を無線通信回路１１０に供給できる。
【００３２】
・他の実施形態２：
図８は、他の実施形態の無線装置２０を示す説明図である。この実施形態では、導電性バネ１２２と並列に半導体スイッチ１５０を備える。押下部１２、突起部１３、導電性バネ１２２、第１、第２導体パターン１２３、１２４の構成については、既に説明した構成を採用できる。図８に示す例では、半導体スイッチ１５０は、ＰｃｈのＭＯＳ電解効果型トランジスタである。半導体スイッチ１５０のゲート（ノードＮ５）は、抵抗１５１を介して、電源側のノードＮ４に接続されている。半導体スイッチ１５０のゲートは、導電性樹脂で形成された導体１５２を介してグランド側のノードＮ６に接続されている。導体１５２は、防水ケース１１から切り取り可能に設けられた切取部１５３を通っている。切取部１５３が切り取られる前の状態では、半導体スイッチ１５０のゲート（ノードＮ５）の電位はグランド電位であり、半導体スイッチ１５０はオンである。したがって、無線通信回路１１０に電力が供給される。したがって、無線装置２０の検査が可能である。切取部１５３が切り取られると、導体１５２が断線し、半導体スイッチ１５０のゲート（ノードＮ５）の電位は電源電位となり、半導体スイッチ１５０はオフとなる。この状態では、無線通信回路１１０に電力が供給されないため、電池１００の電力が消費されない。すなわち、この実施形態では、無線装置２０の検査後、切取部１５３を切り取ることで、タグ１０の使用開始までの電力消費を抑制できる。なお、導体１５２が切り取られた場合、完全に非導通とならなくても、抵抗値が上がればよい。この場合、抵抗器１５１と、切り取られて一部残った導電性樹脂の導体１５２の抵抗分割比により半導体スイッチ１５０のゲート電位ＶＧＳが小さくなり閾値未満となれば半導体スイッチ１５０は非導通となる。なお、押下部１２を押し下げることで、タグ１０が使用開始されるのは、上記各実施形態と同様である。
【００３３】
本発明は、上述の実施形態に限られるものではなく、その趣旨を逸脱しない範囲において種々の構成で実現することができる。例えば、発明の概要の欄に記載した各形態中の技術的特徴に対応する実施形態の技術的特徴は、上述の課題の一部又は全部を解決するために、或いは、上述の効果の一部又は全部を達成するために、適宜、差し替えや、組み合わせを行うことが可能である。また、その技術的特徴が本明細書中に必須なものとして説明されていなければ、適宜、削除することが可能である。
【符号の説明】
【００３４】
１０…紛失防止用タグ（タグ）
１１…防水ケース
１２…押下部
１３…突起
１４…基板
１６…絶縁基板
２０…無線装置
２１…開口部
２２…切込
２３…取付部
４０…親機
４１…ディスプレイ
４２…ＣＰＵ
４３…無線通信回路
４４…アンテナ
４５…ＧＮＳ受信回路
４６…メモリ
１００…電池
１１０…無線通信回路
１１１…アンテナ
１２０…電力供給装置
１２１…電力供給路
１２２…導電性バネ
１２３…第１導体パターン
１２４…第２導体パターン
１２５…端部
１２６…端部
１４１…開口
１５０…半導体スイッチ
１５１…抵抗
１５２…導体
１５３…切取部
【図１】
2019029945.tif 000003
【図２】
2019029945.tif 000004
【図３】
2019029945.tif 000005
【図４】
2019029945.tif 000006
【図５】
2019029945.tif 000007
【図６】
2019029945.tif 000008
【図７】
2019029945.tif 000009
【図８】
2019029945.tif 000010